(57)【要約】      （修正有）【課題】木工板材を使用した木工工作の授業で、複数の板材を使用して簡易な工作品を作成する場合に、接合した複数枚の板材を仮止めした際に、中学生が容易に罫書き線を引くことができると共に容易に釘打ちの適切なポイントを認識することができるコーナー接合具を提供する。【解決手段】同一の板厚の複数の木工用板材の接合部に配置され、各木工用板材の端部を収納しうるように板厚寸法に合致した内径を有する直交した複数の収納部１３，１４を備えたコーナー接合具１０であって、上記収納部の収納端部には上記板厚寸法の半分の幅寸法位置に配置される切り欠き部１５が形成されると共に、上記収納部には、板厚寸法の半分の幅寸法位置に釘打ち用開口部１６が設けられている。【選択図】図１
0003164835.tif 000002
【実用新案登録請求の範囲】
【請求項１】
同一の板厚の複数の木工用板材の接合部に配置され、各木工用板材の端部を収納しうるように板厚寸法に合致した内径を有する直交した複数の収納部を備えたコーナー接合具であって、
上記収納部の収納端部には上記板厚寸法の半分の幅寸法位置に配置される切り欠き部が形成されると共に、上記収納部には、板厚寸法の半分の幅寸法位置に配置される釘打ち用開口部が設けられていることを特徴とするコーナー接合具。
【請求項２】
上記複数の収納部は、平面略Ｔ字状であって、複数の板材の板厚部上に当接する表面部と、複数の板材の側面端部に当接する側面部とを備え、上記表面部及び上記側面部によりチャンネル部材を構成することを特徴とする請求項１記載のコーナー接合具。
【請求項３】
上記複数の収納部は、平面略Ｌ字状であって、複数の板材の板厚部上に当接する表面部と、複数の板材の側面端部に当接する側面部とを備え、上記表面部及び上記側面部によりチャンネル部材を構成することを特徴とする請求項１記載のコーナー接合具。
【請求項４】
上記切り欠き部は、上記表面部及び側面部の双方に形成されると共に、上記表面部には、板厚寸法の半分の部位には長さ方向に沿って中心線が形成されていることを特徴とする請求項１記載のコーナー接合具。
【請求項５】
上記釘打ち用開口部は、上記側面部において上記中心線の端部の下方に設けられていることを特徴とする請求項１及び４記載のコーナー接合具。
【考案の詳細な説明】
【技術分野】
【０００１】
本考案はコーナー接合具の改良に関する。
【背景技術】
【０００２】
従来より、中学校教育では木工板材を使った木工工作が行われている。このような木工板材を使った木工工作にあっては、様々な大きさ、形状の板材を組み合わせて接合することにより本立や小物入れ等の簡易な構成の木工品を作成する。
【０００３】
このような木工板材を使用して木工工作を行う場合には、複数の板材を接合させ、釘ち込み固定させる必要があるが、その際に、仮止めして、収納物を収納しうるか否か、を確認してから釘を打ち込んで固定できるように、従来より、コーナー接合具が使用されている。
【０００４】
図５及び図６に示すように、このようなコーナー接合具４０、４４は、複数枚の木工用板材の接合部に配置され、各木工用板材の接合端部を収納しうる直交して配置される複数の収納部４０ａ、４０ｂ、４４ａ、４４ｂを備えている。
上記複数の収納部４０ａ、４０ｂ、４４ａ、４４ｂは、平面略Ｔ字状又は平面略Ｌ字状であって、一の板材と、上記一の板材に直角に接合される他の板材とを接合しうるように互いに直交して形成され、複数の板材の板厚部上に当接する表面部４１と、複数の板材の側面端部に当接する側面部４２とを備え、上記表面部４１及び上記側面部４２によりチャンネル部材を構成している。
従って、上記一対の側面部４４、４４の間に形成される空隙４３内に板材の板厚部を挿入して仮止めを行うものである。
【０００５】
この場合、釘を打ち込んで固定する場合には、確実に固定するためには接合する板材の厚さ方向の中央部位に打ち込むことが望ましい。
しかしながら、従来のコーナー接合具４０を利用した場合には、板材の厚さ方向の中央部位は認識しにくく、中学生が板材厚さ方向における適切な部位に釘を打ち込むことは難しい作業であった。
【０００６】
即ち、本立て等を木工工作により作製する場合には、複数の板材の接合部のみならず、複数の板材の接合部位から離間した部位において他の板材をさらに接合する必要がある場合もある。このような場合にも、接合される板材の板厚寸法の中間の部位に釘等で固定することが必要となることから、いわゆる罫書き線を所定の長さに亘って引く必要がある。
しかしながら、このような所定の長さに亘る罫書き線を正確に引くには慣れが必要であり、中学生にとっては、木工工作時に速やかに罫書き線を所定の長さに亘って形成することは困難であり、釘打ちを行った場合であっても、出来上がった完成品の品質が良好なものではない場合も多かった。
【考案の開示】
【考案が解決しようとする課題】
【０００７】
本考案の課題は、木工板材を使用した木工工作の授業で、複数の板材を使用して簡易な工作品を作成する場合に、接合した複数枚の板材を仮止めした際に、中学生が容易に罫書き線を引くことができると共に容易に釘打ちの適切なポイントを認識することができるコーナー接合具を提供することにある。
【課題を解決するための手段】
【０００８】
このような課題を解決するため、請求項１記載の考案にあっては、同一の板厚の複数の木工用板材の接合部に配置され、各木工用板材の端部を収納しうるように板厚寸法に合致した内径を有する直交した複数の収納部を備えたコーナー接合具であって、上記収納部の収納端部には上記板厚寸法の半分の幅寸法位置に配置される切り欠き部が形成されると共に、上記収納部には、板厚寸法の半分の幅寸法位置に配置される釘打ち用開口部が設けられていることを特徴とする。
【０００９】
従って、複数の板材を接合する場合であって、請求項１記載の考案に係るコーナー接合具を接合部位に配置し、上記複数の板材の端部を上記収納部内に収納した場合には、上記切り欠き部の延長上に、いわゆる罫書き線を、板厚寸法の半分の位置に描くことがせきる。
また、板厚寸法の半分の幅寸法位置に配置される釘打ち用開口部が設けらていることから、上記釘打ち用開口部を利用して、接合する板材の板厚寸法の厚さ方向の中心位置に釘を打ち込むことができる。
【００１０】
請求項２記載の考案にあっては、上記複数の収納部は、平面略Ｔ字状であって、複数の板材の板厚部上に当接する表面部と、複数の板材の側面端部に当接する側面部とを備え、上記表面部及び上記側面部によりチャンネル部材を構成することを特徴とする。
【００１１】
従って、請求項２記載の考案にあっては、ある板材の中間部に他の板材の端部が接合する場合には、上記チャンネル部からなる平面略Ｔ字状の収納部に、上記ある板材及び他の板材の端部の接合部位を収納させることができる。
【００１２】
請求項３記載の考案にあっては、上記複数の収納部は、平面略Ｌ字状であって、複数の板材の板厚部上に当接する表面部と、複数の板材の側面端部に当接する側面部とを備え、上記表面部及び上記側面部によりチャンネル部材を構成することを特徴とする。
【００１３】
従って、請求項３記載の考案にあっては、ある板材の端部に他の板材の端部を接合する場合、上記チャンネル部からなる平面略Ｌ字状の収納部に、上記ある板材の端部及び他の板材の端部の接合部位を収納させることができる。
【００１４】
請求項４記載の考案にあっては、上記切り欠き部は、上記表面部及び側面部の双方に形成されると共に、上記表面部には、板厚寸法の半分の部位には長さ方向に沿って中心線が形成されていることを特徴とする。
【００１５】
従って、請求項４記載の考案にあっては、上記表面部は板材の厚さ方向端部上に配置されることから、上記切り欠き部を利用して上記中心線の延長上に、いわゆる罫書き線を容易に記すことができる。
また、上記側面部にも切り欠き部が形成されていることから、上記切り欠き部を利用して板材の側面部にも板材の板厚寸法の半分の位置に罫書き線を描くことができる。
【００１６】
請求項５記載の考案にあっては、上記釘打ち用開口部は、上記側面部において上記中心線の端部の下方に設けられていることを特徴とする。
従って、請求項５記載の考案にあっては、上記釘打ち用開口部を利用して、ある板材に対して、当該板材に接合している他の板材の厚さ寸法の半分の位置に釘を打ち込むことができる。
【考案の効果】
【００１７】
中学校の木工工作の授業で、生徒が複数枚の板材を使用して様々な木工品を作成する際に、複数の板材を接合する場合であって、請求項１記載の考案に係るコーナー接合具を接合部位に配置し、上記複数の板材の端部を上記収納部内に収納した場合には、上記切り欠き部の延長上に、いわゆる罫書き線を板厚寸法の半分の位置に描くことができる。
【００１８】
従って、本考案に係るコーナー接合具を、例えば、本立て等の木工工作品の互いに対向する２つの端部に夫々配置した場合、双方のコーナー接合具の互いに対向する一対の上記切り欠き部の間を板材上で定規等で結ぶことにより、一般に中学生にとっては容易ではない、接合された２枚の板材の端部において、他の板材の厚さ寸法の半分の位置に長さ方向に沿って容易に罫書き線を板材上に引く作業を、迅速かつ容易に行うことが可能となる。
【００１９】
その結果、他の板材を当該板材に接合する場合には、当該板材上に引かれた上記罫書き線に沿って釘を打ち込むことにより、釘を他の板材の厚さ寸法の中心部に容易に打ち込み接合させることができ、ある板材と他の板材とを容易かつ確実に接合固定することができる。
また、請求項１記載の考案にあっては、接合する板材の板厚寸法の半分の幅寸法位置に釘打ち用開口部が設けられていることから、上記切り欠き部を利用して、釘を接合しようとする板材の板厚部の幅方向の中心部に打ち込むことができ、ある板材と他の板材とを容易かつ確実に接合固定することができる。
【００２０】
請求項２記載の考案にあっては、ある板材の中間部に他の板材の端部が接合されている場合、上記チャンネル部からなる平面略Ｔ字状の収納部に、上記ある板材及び他の板材の端部の接合部位を収納させることができる。
その結果、ある板材の中間部に他の板材の端部を接合させる場合に、請求項２記載の考案に係るコーナー接合具を利用して、２枚の板材を容易かつ確実に接合することができる。
【００２１】
請求項３記載の考案にあっては、ある板材の中間部に他の板材の端部が接合されている場合、上記チャンネル部からなる平面略Ｌ字状の収納部に、ある板材及び他の板材の端部の接合部位を収納させることができる。
その結果、特に、２枚の板材の夫々の端部を突き合わせて接合させる場合に、請求項３記載の考案に係るコーナー接合具を利用して、２枚の板材の端部を容易かつ確実に接合することができる。
【００２２】
請求項４記載の考案にあっては、上記表面部は板材の厚さ方向端部上に配置されることから、上記切り欠き部を利用して、上記板材の厚さ方向端部上において上記中心線の延長上に、いわゆる罫書き線を容易かつ迅速に記すことができる。
【００２３】
また、上記側面部にも切り欠き部が形成されていることから、上記切り欠き部を利用して板材の側面部にも板材の板厚寸法の半分の位置に罫書き線を容易かつ迅速に描くことができる。
【００２４】
請求項５記載の考案にあっては、上記切欠部は、上記中心線の端部の下方に設けられていることを特徴とする。
従って、請求項５記載の考案にあっては、上記釘打ち用開口部を利用して、ある板材に対して、当該板材に接合している他の板材の厚さ寸法の半分の位置に釘を打ち込むことができることから、中学生であっても、容易かつ確実に２枚の板材を接合固定することができる。
【図面の簡単な説明】
【００２５】
【図１】本考案に係るコーナー接合具の一実施の形態を示す斜視図である。
【図２】本考案に係るコーナー接合具を使って複数の板材を接合固定する場合を示す斜視図である。
【図３】本考案に係るコーナー接合具の他の実施の形態を示す斜視図である。
【図４】本考案に係るコーナー接合具を使って、例えば、本立てを作成する場合の使用例を示す斜視図である。
【図５】従来のコーナー接合具の一例を示す斜視図である。
【図６】従来のコーナー接合具の他の例を示す斜視図である。
【考案を実施するための最良の形態】
【００２６】
以下、添付図面に示す実施の形態に基づき、本考案を詳細に説明する。
図１及び図２に示すように、第一の実施の形態に係るコーナー接合具１０は、本実施の形態に係るコーナー接合具１０は合成樹脂製であって型成型により白色透明に形成されている。
【００２７】
本実施の形態に係るコーナー接合具１０は、互いに直角に接合される同一の板厚の複数の木工用板材１１，１２の接合端部に配置され、各木工用板材１１、１２ａ、１２ｂの端部を収納しうるように板厚寸法に合致した内径を有する直交した複数の収納部１３、１４を備えている。本実施の形態においては、木工用板材１１、１２の厚さ寸法は１５ｍｍに設定されている。
上記複数の収納部１３、１４は、全体が平面略Ｌ字状に形成され、複数の板材１１、１２の板厚部１７上に当接する表面部１８と、複数の板材１１、１２の側面端部１９に当接する側面部２０とを備え、上記表面部１８及び上記側面部２０によりチャンネル部材を構成している。
【００２８】
上記収納部１３、１４の表面部１８及び側面部２０の収納端部には、上記木工用板材１１、１２の板厚寸法Ｌの半分の幅寸法位置に配置される平面略Ｖ字状の切り欠き部１５、１５、１５、１５が形成されている。また、上記側面部２０には、板厚寸法Ｌの半分の幅寸法位置に釘打ち用開口部１６、１６が設けられている。
また、上記表面部１８には、板厚寸法Ｌの半分の部位には長さ方向に沿って中心線２６、２６が交差して形成されている。上記中心線２６、２６の一方側端部上には上記切り欠き部１５、１５が形成され、他方側端部の下方には、夫々、上記釘打ち用開口部１６、１６が設けられている。
【００２９】
上記釘打ち用開口部１６、１６は、側面部の下端から表面部１８へ向かう長方形部１６ａと、上記長方形部１６ａの上端部の幅寸法中間部に形成されたＶ字表示部１６ｂとにより構成されている。このＶ字表示部１６ｂは上記中心線１３、１３の端部の直下に設けられている。
従って、本実施の形態にあっては、コーナー接合具１０が、仮止めのために互いに直角に接合された２枚の木工用板材１１、１２ａの接合端部にはめ込まれた場合には、上記釘打ち用開口部１６は、上記Ｖ字表示部１６ｂが夫々の木工用板材１２ａの板厚寸法Ｌの半分の幅寸法位置に配置されるように構成されている。
【００３０】
その結果、図２に示すように、中学生が２枚の互いに直角に接合された木工用板材１１、１２ａの双方の接合端部２７、２８に本実施の形態に係るコーナー接合具１０、１０をはめ込んで仮止めした場合には、上記釘打ち用開口部１６、１６のＶ字表示１６ｂ、１６ｂの間に、定規を当てることにより中学生であっても容易に罫書き線２９を引くことができる。
【００３１】
従って、上記罫書き線２９に沿って釘３０を木工用板材１１側から打ち込むことにより、釘３０を木工用板材１１に接合された木工用板材１２ａの板厚部１７の厚さ方向中心部に貫通させることができる。従って、中学生であっても、容易かつ迅速に木工用板材１１及び１２ａを端部において釘３０により確実に接合させることができる。
【００３２】
図３に示すように、第二の実施の形態に係るコーナー接合具２１にあっては、上記複数の収納部２２、２３は、全体が平面略Ｔ字状に形成され、複数の板材１１、１２ｂの板厚部１７上に当接する表面部２４と、複数の板材１１、１２ｂの側面端部１９に当接する側面部２５とを備え、上記表面部２４及び上記側面部２５によりチャンネル部材を構成している。
【００３３】
本実施の形態に係るコーナー接合具２１は、一方の木工用板材１１の中間部において他方の木工用板材１２ｂの端部を接合する場合に使用される。
上記収納部２２、２３の表面部２４及び側面部２５の収納端部には、上記木工用板材１１、１２ｂの板厚寸法Ｌの半分の幅寸法位置に配置される平面略Ｖ字状の切り欠き部１５、１５、１５、１５が形成されている。また、上記収納部１３、１４の側面部２０には、板厚寸法Ｌの半分の幅寸法位置に釘打ち用開口部１６が設けられている。
【００３４】
上記表面部１８には、板厚寸法Ｌの半分の部位には収納部２２、２３の長さ方向に沿って中心線２６、２６が交差して形成されている。上記中心線２６、２６の一方側端部上には上記切り欠き部１５、１５が形成され、他方側端部の下方には、側面部２５に釘打ち用開口部１６が設けられている。上記側面部の長さ方向端部にも切り欠き部１５、１５が形成されている。
【００３５】
従って、本実施の形態にあっては、コーナー接合具２１が、互いに直角に接合された２枚の木工用板材１１、１２ｂの接合部３１にはめ込まれた場合には、上記釘打ち用開口部１６は、上記第一の実施の形態における場合と同様の形状であり、上記Ｖ字表示部１６ｂが木工用板材１２ｂの板厚寸法Ｌの半分の幅寸法位置に配置されるように構成されている。
【００３６】
その結果、図２に示すように、２枚の互いに直角に接合された木工用板材１１、１２ｂの双方の接合端部３１、３１に本実施の形態に係るコーナー接合具２１、２１をはめ込んで仮止めした場合には、上記釘打ち用開口部１６のＶ字表示部１６ｂ、１６ｂの間に、定規を当てることにより、中学生であっても容易に罫書き線２９を引くことができる。
【００３７】
従って、上記罫書き線２９に沿って釘３０を木工用板材１１側から打ち込むことにより、釘３０を木工用板材１１に接合された木工用板材１２ｂの板厚部１７の厚さ方向中心部に貫通させることができる。従って、中学生であっても、容易かつ迅速に木工用板材１１及び１２ｂを釘３０により確実に接合させることができる。
【００３８】
図４は、木工用板材３３に対して木工用板材３４，３５，３６を直角に接合固定して本立て３２を作製する場合を示す。この場合、上端部及び下端部の木工用板材３４、３６と木工用板材３３との接合部位にはコーナー接合具１０ａ、１０ｂが使用され、木工用板材３５と木工用板材３３との接合部位にはコーナー接合具２１が使用されている。
【００３９】
このような場合において、例えば、上端部の木工用板材３４と中間部の木工用板材３５との間に背板３７を取り付ける場合には、コーナー接合具１０ａとコーナー接合具２１の切り欠き部１５、１５の間に定規を当てることにより罫書き線３８を引くことができる。
【００４０】
この場合、上記切り欠き部１５は板厚寸法Ｌの中間部に配置されるものであるから、上記罫書き線３８も木工用板材３３の厚さ寸法Ｌの中間部に描かれる。その結果、この罫書き線３８を利用して背板３７上に釘３０を打ち込むことにより、背板３７を木工用板材３３の厚さ寸法中間部に容易かつ確実に固定することができる。
【００４１】
また、例えば、木工用板材３４と３５との間に、水平方向に回転する回転ドア（図示せず）を取り付けるような場合には、回転ドアのヒンジを木工用板材３４の端部側に固定する必要がある。
このような場合には、上記コーナー接合具１０ａの収納部１３の側面部２０の切り欠き部１５ａを利用することができる。即ち、上記木工用板材３３及び木工用板材３４の接合部位に対して、木工用板材３４の幅方向において対向する接合部位において固定されているコーナー接合具（図示せず）の対応する切り欠き部（図示せず）との間に定規を当てて罫書き線３９を引くことができ、この罫書き線３９を利用して、罫書き線３９上の適切な部位に上記回転ドアのヒンジを、釘により容易に固定することができる。  
【００４２】
また、この場合、上記コーナー接合具１０ａと対向する上記接合部位において固定されているコーナー接合具との間の間隔寸法が大きく、罫書き線を引きにくい場合には、中間部に第二の実施の形態に係るコーナー接合具２１を木工用板材３４の端部の中間部位に挿入配置することにより、上記コーナー接合具２１の切り欠き部１５、１５を利用して容易に罫書き線３９を描くことができる。
なお、上記各実施の形態にあっては、木工用板材１１、１２の厚さ寸法Ｌが１５ｍｍの場合を例に説明したが、上記実施の形態に限定されず、例えば、１０ｍｍ又は１２ｍｍであってもよい。
【産業上の利用可能性】
【００４３】
本考案に係るコーナー接合具は、広く、木工用板材を接合しようとする場合の仮止めに適用することができる。
【符号の説明】
【００４４】
１０  コーナー接合具
１１  木工用板材
１２  木工用板材
１２ａ  木工用板材
１２ｂ  木工用板材
１３  収納部
１４  収納部
１５  切り欠き部
１６  釘打ち用開口部
１７  板厚部
１８  表面部
１９  側面端部
２０  側面部
２１  コーナー接合具
２２  収納部
２３  収納部
２４  表面部
２５  側面部
２６  中心線
２７  接合端部
２８  接合端部
２９  罫書き線
３０  釘
３１  接合端部
３２  本立て
３３  木工用板材
３４  木工用板材
３５  木工用板材
３６  木工用板材
３７  背板
３８  罫書き線
３９  罫書き線
４０  コーナー接合具
４１  表面部
４２  側面部
４３  空隙
４４  コーナー接合具
【図１】
0003164835.tif 000003
【図２】
0003164835.tif 000004
【図３】
0003164835.tif 000005
【図４】
0003164835.tif 000006
【図５】
0003164835.tif 000007
【図６】
0003164835.tif 000008
【手続補正書】
【提出日】平成22年6月28日(2010.6.28)
【手続補正１】
【補正対象書類名】実用新案登録請求の範囲
【補正対象項目名】全文
【補正方法】変更
【補正の内容】
【実用新案登録請求の範囲】
【請求項１】
同一の板厚の複数の木工用板材の接合部に配置され、各木工用板材の端部を収納しうるように板厚寸法に合致した内径を有する直交した複数の収納部を備えたコーナー接合具であって、
上記複数の板材の板厚部上に当接する表面部と、複数の板材の側面端部に当接する側面部とを備え、上記収納部の収納端部には上記板厚寸法の半分の幅寸法位置に配置される切り欠き部が形成されると共に、上記収納部には、板厚寸法の半分の幅寸法位置に配置される釘打ち用開口部が設けられていることを特徴とするコーナー接合具。
【請求項２】
上記複数の収納部は、平面略Ｔ字状であって、上記表面部及び上記側面部によりチャンネル部材を構成することを特徴とする請求項１記載のコーナー接合具。
【請求項３】
上記複数の収納部は、平面略Ｌ字状であって、上記表面部及び上記側面部によりチャンネル部材を構成することを特徴とする請求項１記載のコーナー接合具。
【請求項４】
上記切り欠き部は、上記表面部及び側面部の双方に形成されると共に、上記表面部には、板厚寸法の半分の部位には長さ方向に沿って中心線が形成されていることを特徴とする請求項１記載のコーナー接合具。
【請求項５】
上記釘打ち用開口部は、上記側面部において、上記表面部に設けられた中心線の端部の下方に設けられていることを特徴とする請求項１記載のコーナー接合具。
【手続補正２】
【補正対象書類名】明細書
【補正対象項目名】全文
【補正方法】変更
【補正の内容】
【考案の詳細な説明】
【技術分野】
【０００１】
本考案はコーナー接合具の改良に関する。
【背景技術】
【０００２】
従来より、中学校教育では木工板材を使った木工工作が行われている。このような木工板材を使った木工工作にあっては、様々な大きさ、形状の板材を組み合わせて接合することにより本立や小物入れ等の簡易な構成の木工品を作成する。
【０００３】
このような木工板材を使用して木工工作を行う場合には、複数の板材を接合させ、釘ち込み固定させる必要があるが、その際に、仮止めして、収納物を収納しうるか否か、を確認してから釘を打ち込んで固定できるように、従来より、コーナー接合具が使用されている。
【０００４】
図５及び図６に示すように、このようなコーナー接合具４０、４４は、複数枚の木工用板材の接合部に配置され、各木工用板材の接合端部を収納しうる直交して配置される複数の収納部４０ａ、４０ｂ、４４ａ、４４ｂを備えている。
上記複数の収納部４０ａ、４０ｂ、４４ａ、４４ｂは、平面略Ｔ字状又は平面略Ｌ字状であって、一の板材と、上記一の板材に直角に接合される他の板材とを接合しうるように互いに直交して形成され、複数の板材の板厚部上に当接する表面部４１と、複数の板材の側面端部に当接する側面部４２とを備え、上記表面部４１及び上記側面部４２によりチャンネル部材を構成している。
従って、上記一対の側面部４４、４４の間に形成される空隙４３内に板材の板厚部を挿入して仮止めを行うものである。
【０００５】
この場合、釘を打ち込んで固定する場合には、確実に固定するためには接合する板材の厚さ方向の中央部位に打ち込むことが望ましい。
しかしながら、従来のコーナー接合具４０を利用した場合には、板材の厚さ方向の中央部位は認識しにくく、中学生が板材厚さ方向における適切な部位に釘を打ち込むことは難しい作業であった。
【０００６】
即ち、本立て等を木工工作により作製する場合には、複数の板材の接合部のみならず、複数の板材の接合部位から離間した部位において他の板材をさらに接合する必要がある場合もある。このような場合にも、接合される板材の板厚寸法の中間の部位に釘等で固定することが必要となることから、いわゆる罫書き線を所定の長さに亘って引く必要がある。
しかしながら、このような所定の長さに亘る罫書き線を正確に引くには慣れが必要であり、中学生にとっては、木工工作時に速やかに罫書き線を所定の長さに亘って形成することは困難であり、釘打ちを行った場合であっても、出来上がった完成品の品質が良好なものではない場合も多かった。
【考案の開示】
【考案が解決しようとする課題】
【０００７】
本考案の課題は、木工板材を使用した木工工作の授業で、複数の板材を使用して簡易な工作品を作成する場合に、接合した複数枚の板材を仮止めした際に、中学生が容易に罫書き線を引くことができると共に容易に釘打ちの適切なポイントを認識することができるコーナー接合具を提供することにある。
【課題を解決するための手段】
【０００８】
このような課題を解決するため、請求項１記載の考案にあっては、同一の板厚の複数の木工用板材の接合部に配置され、各木工用板材の端部を収納しうるように板厚寸法に合致した内径を有する直交した複数の収納部を備えたコーナー接合具であって、上記複数の板材の板厚部上に当接する表面部と、複数の板材の側面端部に当接する側面部とを備え、上記収納部の収納端部には上記板厚寸法の半分の幅寸法位置に配置される切り欠き部が形成されると共に、上記収納部には、板厚寸法の半分の幅寸法位置に配置される釘打ち用開口部が設けられていることを特徴とする。
【０００９】
従って、複数の板材を接合する場合であって、請求項１記載の考案に係るコーナー接合具を接合部位に配置し、上記複数の板材の端部を上記収納部内に収納した場合には、上記切り欠き部の延長上に、いわゆる罫書き線を、板厚寸法の半分の位置に描くことがせきる。
また、板厚寸法の半分の幅寸法位置に配置される釘打ち用開口部が設けらていることから、上記釘打ち用開口部を利用して、接合する板材の板厚寸法の厚さ方向の中心位置に釘を打ち込むことができる。
【００１０】
請求項２記載の考案にあっては、上記複数の収納部は、平面略Ｔ字状であって、上記表面部及び上記側面部によりチャンネル部材を構成することを特徴とする。
【００１１】
従って、請求項２記載の考案にあっては、ある板材の中間部に他の板材の端部が接合する場合には、上記チャンネル部からなる平面略Ｔ字状の収納部に、上記ある板材及び他の板材の端部の接合部位を収納させることができる。
【００１２】
請求項３記載の考案にあっては、上記複数の収納部は、平面略Ｌ字状であって、上記表面部及び上記側面部によりチャンネル部材を構成することを特徴とする。
【００１３】
従って、請求項３記載の考案にあっては、ある板材の端部に他の板材の端部を接合する場合、上記チャンネル部からなる平面略Ｌ字状の収納部に、上記ある板材の端部及び他の板材の端部の接合部位を収納させることができる。
【００１４】
請求項４記載の考案にあっては、上記切り欠き部は、上記表面部及び側面部の双方に形成されると共に、上記表面部には、板厚寸法の半分の部位には長さ方向に沿って中心線が形成されていることを特徴とする。
【００１５】
従って、請求項４記載の考案にあっては、上記表面部は板材の厚さ方向端部上に配置されることから、上記切り欠き部を利用して上記中心線の延長上に、いわゆる罫書き線を容易に記すことができる。
また、上記側面部にも切り欠き部が形成されていることから、上記切り欠き部を利用して板材の側面部にも板材の板厚寸法の半分の位置に罫書き線を描くことができる。
【００１６】
請求項５記載の考案にあっては、上記釘打ち用開口部は、上記側面部において、上記表面部に設けられた中心線の端部の下方に設けられていることを特徴とする。
従って、請求項５記載の考案にあっては、上記釘打ち用開口部を利用して、ある板材に対して、当該板材に接合している他の板材の厚さ寸法の半分の位置に釘を打ち込むことができる。
【考案の効果】
【００１７】
中学校の木工工作の授業で、生徒が複数枚の板材を使用して様々な木工品を作成する際に、複数の板材を接合する場合であって、請求項１記載の考案に係るコーナー接合具を接合部位に配置し、上記複数の板材の端部を上記収納部内に収納した場合には、上記切り欠き部の延長上に、いわゆる罫書き線を板厚寸法の半分の位置に描くことができる。
【００１８】
従って、本考案に係るコーナー接合具を、例えば、本立て等の木工工作品の互いに対向する２つの端部に夫々配置した場合、双方のコーナー接合具の互いに対向する一対の上記切り欠き部の間を板材上で定規等で結ぶことにより、一般に中学生にとっては容易ではない、接合された２枚の板材の端部において、他の板材の厚さ寸法の半分の位置に長さ方向に沿って容易に罫書き線を板材上に引く作業を、迅速かつ容易に行うことが可能となる。
【００１９】
その結果、他の板材を当該板材に接合する場合には、当該板材上に引かれた上記罫書き線に沿って釘を打ち込むことにより、釘を他の板材の厚さ寸法の中心部に容易に打ち込み接合させることができ、ある板材と他の板材とを容易かつ確実に接合固定することができる。
また、請求項１記載の考案にあっては、接合する板材の板厚寸法の半分の幅寸法位置に釘打ち用開口部が設けられていることから、上記切り欠き部を利用して、釘を接合しようとする板材の板厚部の幅方向の中心部に打ち込むことができ、ある板材と他の板材とを容易かつ確実に接合固定することができる。
【００２０】
請求項２記載の考案にあっては、ある板材の中間部に他の板材の端部が接合されている場合、上記チャンネル部からなる平面略Ｔ字状の収納部に、上記ある板材及び他の板材の端部の接合部位を収納させることができる。
その結果、ある板材の中間部に他の板材の端部を接合させる場合に、請求項２記載の考案に係るコーナー接合具を利用して、２枚の板材を容易かつ確実に接合することができる。
【００２１】
請求項３記載の考案にあっては、ある板材の中間部に他の板材の端部が接合されている場合、上記チャンネル部からなる平面略Ｌ字状の収納部に、ある板材及び他の板材の端部の接合部位を収納させることができる。
その結果、特に、２枚の板材の夫々の端部を突き合わせて接合させる場合に、請求項３記載の考案に係るコーナー接合具を利用して、２枚の板材の端部を容易かつ確実に接合することができる。
【００２２】
請求項４記載の考案にあっては、上記表面部は板材の厚さ方向端部上に配置されることから、上記切り欠き部を利用して、上記板材の厚さ方向端部上において上記中心線の延長上に、いわゆる罫書き線を容易かつ迅速に記すことができる。
【００２３】
また、上記側面部にも切り欠き部が形成されていることから、上記切り欠き部を利用して板材の側面部にも板材の板厚寸法の半分の位置に罫書き線を容易かつ迅速に描くことができる。
【００２４】
請求項５記載の考案にあっては、上記切欠部は、上記中心線の端部の下方に設けられていることを特徴とする。
従って、請求項５記載の考案にあっては、上記釘打ち用開口部を利用して、ある板材に対して、当該板材に接合している他の板材の厚さ寸法の半分の位置に釘を打ち込むことができることから、中学生であっても、容易かつ確実に２枚の板材を接合固定することができる。
【図面の簡単な説明】
【００２５】
【図１】本考案に係るコーナー接合具の一実施の形態を示す斜視図である。
【図２】本考案に係るコーナー接合具を使って複数の板材を接合固定する場合を示す斜視図である。
【図３】本考案に係るコーナー接合具の他の実施の形態を示す斜視図である。
【図４】本考案に係るコーナー接合具を使って、例えば、本立てを作成する場合の使用例を示す斜視図である。
【図５】従来のコーナー接合具の一例を示す斜視図である。
【図６】従来のコーナー接合具の他の例を示す斜視図である。
【考案を実施するための最良の形態】
【００２６】
以下、添付図面に示す実施の形態に基づき、本考案を詳細に説明する。
図１及び図２に示すように、第一の実施の形態に係るコーナー接合具１０は、本実施の形態に係るコーナー接合具１０は合成樹脂製であって型成型により白色透明に形成されている。
【００２７】
本実施の形態に係るコーナー接合具１０は、互いに直角に接合される同一の板厚の複数の木工用板材１１，１２の接合端部に配置され、各木工用板材１１、１２ａ、１２ｂの端部を収納しうるように板厚寸法に合致した内径を有する直交した複数の収納部１３、１４を備えている。本実施の形態においては、木工用板材１１、１２の厚さ寸法は１５ｍｍに設定されている。
上記複数の収納部１３、１４は、全体が平面略Ｌ字状に形成され、複数の板材１１、１２の板厚部１７上に当接する表面部１８と、複数の板材１１、１２の側面端部１９に当接する側面部２０とを備え、上記表面部１８及び上記側面部２０によりチャンネル部材を構成している。
【００２８】
上記収納部１３、１４の表面部１８及び側面部２０の収納端部には、上記木工用板材１１、１２の板厚寸法Ｌの半分の幅寸法位置に配置される平面略Ｖ字状の切り欠き部１５、１５、１５、１５が形成されている。また、上記側面部２０には、板厚寸法Ｌの半分の幅寸法位置に釘打ち用開口部１６、１６が設けられている。
また、上記表面部１８には、板厚寸法Ｌの半分の部位には長さ方向に沿って中心線２６、２６が交差して形成されている。上記中心線２６、２６の一方側端部上には上記切り欠き部１５、１５が形成され、他方側端部の下方には、夫々、上記釘打ち用開口部１６、１６が設けられている。
【００２９】
上記釘打ち用開口部１６、１６は、側面部の下端から表面部１８へ向かう長方形部１６ａと、上記長方形部１６ａの上端部の幅寸法中間部に形成されたＶ字表示部１６ｂとにより構成されている。このＶ字表示部１６ｂは上記中心線１３、１３の端部の直下に設けられている。
従って、本実施の形態にあっては、コーナー接合具１０が、仮止めのために互いに直角に接合された２枚の木工用板材１１、１２ａの接合端部にはめ込まれた場合には、上記釘打ち用開口部１６は、上記Ｖ字表示部１６ｂが夫々の木工用板材１２ａの板厚寸法Ｌの半分の幅寸法位置に配置されるように構成されている。
【００３０】
その結果、図２に示すように、中学生が２枚の互いに直角に接合された木工用板材１１、１２ａの双方の接合端部２７、２８に本実施の形態に係るコーナー接合具１０、１０をはめ込んで仮止めした場合には、上記釘打ち用開口部１６、１６のＶ字表示１６ｂ、１６ｂの間に、定規を当てることにより中学生であっても容易に罫書き線２９を引くことができる。
【００３１】
従って、上記罫書き線２９に沿って釘３０を木工用板材１１側から打ち込むことにより、釘３０を木工用板材１１に接合された木工用板材１２ａの板厚部１７の厚さ方向中心部に貫通させることができる。従って、中学生であっても、容易かつ迅速に木工用板材１１及び１２ａを端部において釘３０により確実に接合させることができる。
【００３２】
図３に示すように、第二の実施の形態に係るコーナー接合具２１にあっては、上記複数の収納部２２、２３は、全体が平面略Ｔ字状に形成され、複数の板材１１、１２ｂの板厚部１７上に当接する表面部２４と、複数の板材１１、１２ｂの側面端部１９に当接する側面部２５とを備え、上記表面部２４及び上記側面部２５によりチャンネル部材を構成している。
【００３３】
本実施の形態に係るコーナー接合具２１は、一方の木工用板材１１の中間部において他方の木工用板材１２ｂの端部を接合する場合に使用される。
上記収納部２２、２３の表面部２４及び側面部２５の収納端部には、上記木工用板材１１、１２ｂの板厚寸法Ｌの半分の幅寸法位置に配置される平面略Ｖ字状の切り欠き部１５、１５、１５、１５が形成されている。また、上記収納部１３、１４の側面部２０には、板厚寸法Ｌの半分の幅寸法位置に釘打ち用開口部１６が設けられている。
【００３４】
上記表面部１８には、板厚寸法Ｌの半分の部位には収納部２２、２３の長さ方向に沿って中心線２６、２６が交差して形成されている。上記中心線２６、２６の一方側端部上には上記切り欠き部１５、１５が形成され、他方側端部の下方には、側面部２５に釘打ち用開口部１６が設けられている。上記側面部の長さ方向端部にも切り欠き部１５、１５が形成されている。
【００３５】
従って、本実施の形態にあっては、コーナー接合具２１が、互いに直角に接合された２枚の木工用板材１１、１２ｂの接合部３１にはめ込まれた場合には、上記釘打ち用開口部１６は、上記第一の実施の形態における場合と同様の形状であり、上記Ｖ字表示部１６ｂが木工用板材１２ｂの板厚寸法Ｌの半分の幅寸法位置に配置されるように構成されている。
【００３６】
その結果、図２に示すように、２枚の互いに直角に接合された木工用板材１１、１２ｂの双方の接合端部３１、３１に本実施の形態に係るコーナー接合具２１、２１をはめ込んで仮止めした場合には、上記釘打ち用開口部１６のＶ字表示部１６ｂ、１６ｂの間に、定規を当てることにより、中学生であっても容易に罫書き線２９を引くことができる。
【００３７】
従って、上記罫書き線２９に沿って釘３０を木工用板材１１側から打ち込むことにより、釘３０を木工用板材１１に接合された木工用板材１２ｂの板厚部１７の厚さ方向中心部に貫通させることができる。従って、中学生であっても、容易かつ迅速に木工用板材１１及び１２ｂを釘３０により確実に接合させることができる。
【００３８】
図４は、木工用板材３３に対して木工用板材３４，３５，３６を直角に接合固定して本立て３２を作製する場合を示す。この場合、上端部及び下端部の木工用板材３４、３６と木工用板材３３との接合部位にはコーナー接合具１０ａ、１０ｂが使用され、木工用板材３５と木工用板材３３との接合部位にはコーナー接合具２１が使用されている。
【００３９】
このような場合において、例えば、上端部の木工用板材３４と中間部の木工用板材３５との間に背板３７を取り付ける場合には、コーナー接合具１０ａとコーナー接合具２１の切り欠き部１５、１５の間に定規を当てることにより罫書き線３８を引くことができる。
【００４０】
この場合、上記切り欠き部１５は板厚寸法Ｌの中間部に配置されるものであるから、上記罫書き線３８も木工用板材３３の厚さ寸法Ｌの中間部に描かれる。その結果、この罫書き線３８を利用して背板３７上に釘３０を打ち込むことにより、背板３７を木工用板材３３の厚さ寸法中間部に容易かつ確実に固定することができる。
【００４１】
また、例えば、木工用板材３４と３５との間に、水平方向に回転する回転ドア（図示せず）を取り付けるような場合には、回転ドアのヒンジを木工用板材３４の端部側に固定する必要がある。
このような場合には、上記コーナー接合具１０ａの収納部１３の側面部２０の切り欠き部１５ａを利用することができる。即ち、上記木工用板材３３及び木工用板材３４の接合部位に対して、木工用板材３４の幅方向において対向する接合部位において固定されているコーナー接合具（図示せず）の対応する切り欠き部（図示せず）との間に定規を当てて罫書き線３９を引くことができ、この罫書き線３９を利用して、罫書き線３９上の適切な部位に上記回転ドアのヒンジを、釘により容易に固定することができる。  
【００４２】
また、この場合、上記コーナー接合具１０ａと対向する上記接合部位において固定されているコーナー接合具との間の間隔寸法が大きく、罫書き線を引きにくい場合には、中間部に第二の実施の形態に係るコーナー接合具２１を木工用板材３４の端部の中間部位に挿入配置することにより、上記コーナー接合具２１の切り欠き部１５、１５を利用して容易に罫書き線３９を描くことができる。
なお、上記各実施の形態にあっては、木工用板材１１、１２の厚さ寸法Ｌが１５ｍｍの場合を例に説明したが、上記実施の形態に限定されず、
例えば、１０ｍｍ又は１２ｍｍであってもよい。
【産業上の利用可能性】
【００４３】
本考案に係るコーナー接合具は、広く、木工用板材を接合しようとする場合の仮止めに適用することができる。
【符号の説明】
【００４４】
１０  コーナー接合具
１１  木工用板材
１２  木工用板材
１２ａ  木工用板材
１２ｂ  木工用板材
１３  収納部
１４  収納部
１５  切り欠き部
１６  釘打ち用開口部
１７  板厚部
１８  表面部
１９  側面端部
２０  側面部
２１  コーナー接合具
２２  収納部
２３  収納部
２４  表面部
２５  側面部
２６  中心線
２７  接合端部
２８  接合端部
２９  罫書き線
３０  釘
３１  接合端部
３２  本立て
３３  木工用板材
３４  木工用板材
３５  木工用板材
３６  木工用板材
３７  背板
３８  罫書き線
３９  罫書き線
４０  コーナー接合具
４１  表面部
４２  側面部
４３  空隙
４４  コーナー接合具